(57)【特許請求の範囲】
【請求項１】
通信網を介して予め定められた通信プロトコルに従って画像データを送受信するファクシミリ通信処理を実行する通信処理部と、
前記ファクシミリ通信処理において予め定められた特定信号が正常に受信されない場合に、前記ファクシミリ通信処理における前記特定信号の要否を予め設定された判定条件に従って判定する要否判定処理部と、
前記要否判定処理部によって前記特定信号が不要であると判定された場合は前記ファクシミリ通信処理を継続させ、前記要否判定処理部によって前記特定信号が必要であると判定された場合には少なくとも前記特定信号の再送信を通信先に要求する継続制御処理部と、
を備え、
前記特定信号が、前記通信先のＩＤ情報を示すＩＤ情報信号であり、
前記判定条件の一つに、前記ファクシミリ通信処理において前記通信先のＩＤ情報を認証する認証機能が有効に設定されていることが含まれる、
画像形成装置。
【請求項２】
通信網を介して予め定められた通信プロトコルに従って画像データを送受信するファクシミリ通信処理を実行する通信処理部と、
前記ファクシミリ通信処理において予め定められた特定信号が正常に受信されない場合に、前記ファクシミリ通信処理における前記特定信号の要否を予め設定された判定条件に従って判定する要否判定処理部と、
前記要否判定処理部によって前記特定信号が不要であると判定された場合は前記ファクシミリ通信処理を継続させ、前記要否判定処理部によって前記特定信号が必要であると判定された場合には少なくとも前記特定信号の再送信を通信先に要求する継続制御処理部と、
を備え、
前記特定信号が、前記通信先のＩＤ情報を示すＩＤ情報信号であり、
前記判定条件の一つに、前記通信先のＩＤ情報に応じて予め設定される転送先に前記ファクシミリ通信処理で受信する前記画像データを転送する転送機能が有効に設定されていることが含まれる、
画像形成装置。
【請求項３】
通信網を介して予め定められた通信プロトコルに従って画像データを送受信するファクシミリ通信処理を実行する通信処理部と、
前記ファクシミリ通信処理において予め定められた特定信号が正常に受信されない場合に、前記ファクシミリ通信処理における前記特定信号の要否を予め設定された判定条件に従って判定する要否判定処理部と、
前記要否判定処理部によって前記特定信号が不要であると判定された場合は前記ファクシミリ通信処理を継続させ、前記要否判定処理部によって前記特定信号が必要であると判定された場合には少なくとも前記特定信号の再送信を通信先に要求する継続制御処理部と、
を備え、
前記特定信号が、前記通信先のＩＤ情報を示すＩＤ情報信号であり、
前記判定条件の一つに、前記通信先のＩＤ情報を含む履歴情報を記憶部に記憶する履歴管理機能が有効に設定されていることが含まれる、
画像形成装置。
【請求項４】
プロセッサーにより、
通信網を介して予め定められた通信プロトコルに従って画像データを送受信するファクシミリ通信処理を実行する通信ステップと、
前記ファクシミリ通信処理において予め定められた特定信号が正常に受信されない場合に、前記ファクシミリ通信処理における前記特定信号の要否を予め設定された判定条件に従って判定する要否判定ステップと、
前記要否判定ステップによって前記特定信号が不要であると判定された場合は前記ファクシミリ通信処理を継続させ、前記要否判定ステップによって前記特定信号が必要であると判定された場合には少なくとも前記特定信号の再送信を通信先に要求する再送制御ステップと、
を実行する通信方法であって、
前記特定信号が、前記通信先のＩＤ情報を示すＩＤ情報信号であり、
前記判定条件の一つに、前記ファクシミリ通信処理において前記通信先のＩＤ情報を認証する認証機能が有効に設定されていることが含まれる、
通信方法。
【請求項５】
プロセッサーにより、
通信網を介して予め定められた通信プロトコルに従って画像データを送受信するファクシミリ通信処理を実行する通信ステップと、
前記ファクシミリ通信処理において予め定められた特定信号が正常に受信されない場合に、前記ファクシミリ通信処理における前記特定信号の要否を予め設定された判定条件に従って判定する要否判定ステップと、
前記要否判定ステップによって前記特定信号が不要であると判定された場合は前記ファクシミリ通信処理を継続させ、前記要否判定ステップによって前記特定信号が必要であると判定された場合には少なくとも前記特定信号の再送信を通信先に要求する再送制御ステップと、
を実行する通信方法であって、
前記特定信号が、前記通信先のＩＤ情報を示すＩＤ情報信号であり、
前記判定条件の一つに、前記通信先のＩＤ情報に応じて予め設定される転送先に前記ファクシミリ通信処理で受信する前記画像データを転送する転送機能が有効に設定されていることが含まれる、
通信方法。
【請求項６】
プロセッサーにより、
通信網を介して予め定められた通信プロトコルに従って画像データを送受信するファクシミリ通信処理を実行する通信ステップと、
前記ファクシミリ通信処理において予め定められた特定信号が正常に受信されない場合に、前記ファクシミリ通信処理における前記特定信号の要否を予め設定された判定条件に従って判定する要否判定ステップと、
前記要否判定ステップによって前記特定信号が不要であると判定された場合は前記ファクシミリ通信処理を継続させ、前記要否判定ステップによって前記特定信号が必要であると判定された場合には少なくとも前記特定信号の再送信を通信先に要求する再送制御ステップと、
を実行する通信方法であって、
前記特定信号が、前記通信先のＩＤ情報を示すＩＤ情報信号であり、
前記判定条件の一つに、前記通信先のＩＤ情報を含む履歴情報を記憶部に記憶する履歴管理機能が有効に設定されていることが含まれる、
通信方法。
【発明の詳細な説明】
【技術分野】
【０００１】
本発明は、通信網を介して予め定められた通信プロトコルに従って画像データを送信可能な画像形成装置及び通信方法に関する。
【背景技術】
【０００２】
一般に、公衆交換通信網又はインターネットなどの通信網を介して予め定められた通信プロトコルに従って画像データを送受信するファクシミリ通信処理が実行可能な画像形成装置が知られている（例えば、特許文献１参照）。なお、この種の画像形成装置では、ファクシミリ通信処理において交換される信号にエラーが発生した場合に、その信号の再取得が試行されることがある。
【先行技術文献】
【特許文献】
【０００３】
【特許文献１】特開２０１４−８６７４６号公報
【発明の概要】
【発明が解決しようとする課題】
【０００４】
しかしながら、ファクシミリ通信処理において送受信される信号のうち、ＣＳＩ信号又はＴＳＩ信号のようなＩＤ情報信号については、ファクシミリ通信処理において必須の情報でない場合があり、ＩＤ情報信号の再取得が不要な処理となることがある。例えば、ＩＤ情報信号は、予め許可されたＩＤ情報信号である場合に通信を継続し、その他のＩＤ情報信号である場合に通信を遮断する認証機能が有効に設定されている場合に用いられる。これに対し、認証機能が有効に設定されていない場合は、ＩＤ情報信号が不要であることも考えられる。
【０００５】
本発明の目的は、ファクシミリ通信処理における不必要な情報の再取得処理を省略することが可能な画像形成装置及び通信方法を提供することにある。
【課題を解決するための手段】
【０００６】
本発明の一の局面に係る画像形成装置は、通信処理部と、要否判定処理部と、継続制御処理部とを備える。前記通信処理部は、通信網を介して予め定められた通信プロトコルに従って画像データを送受信するファクシミリ通信処理を実行する。前記要否判定処理部は、前記ファクシミリ通信処理において予め定められた特定信号が正常に受信されない場合に、前記ファクシミリ通信処理における前記特定信号の要否を予め設定された判定条件に従って判定する。前記継続制御処理部は、前記要否判定処理部によって前記特定信号が不要であると判定された場合は前記ファクシミリ通信処理を継続させ、前記要否判定処理部によって前記特定信号が必要であると判定された場合には少なくとも前記特定信号の再送信を通信先に要求する。
【０００７】
本発明の他の局面に係る通信方法は、プロセッサーにより、通信ステップと、要否判定ステップと、再送制御ステップとを実行する方法である。前記通信ステップでは、通信網を介して予め定められた通信プロトコルに従って画像データを送受信するファクシミリ通信処理が実行される。前記要否判定ステップでは、前記ファクシミリ通信処理において予め定められた特定信号が正常に受信されない場合に、前記ファクシミリ通信処理における前記特定信号の要否が予め設定された判定条件に従って判定される。前記再送制御ステップでは、前記要否判定ステップによって前記特定信号が不要であると判定された場合は前記ファクシミリ通信処理が継続され、前記要否判定ステップによって前記特定信号が必要であると判定された場合には少なくとも前記特定信号の再送信が通信先に要求される。
【発明の効果】
【０００８】
本発明によれば、ファクシミリ通信処理における不要な情報の再取得処理を省略することが可能な画像形成装置及び通信方法が提供される。
【図面の簡単な説明】
【０００９】
【図１】図１は、本発明の施形態に係る画像形成装置の外観構成を示す図である。
【図２】図２は、本発明の実施形態に係る画像形成装置のシステム構成を示すブロック図である。
【図３】図３は、本発明の実施形態に係る画像形成装置で実行されるファクシミリ送信処理の手順の一例を示すフロー図である。
【図４】図４は、本発明の実施形態に係る画像形成装置で実行されるファクシミリ受信処理の手順の一例を示すフロー図である。
【図５】図５は、本発明の実施形態に係る画像形成装置で実行される通信制御処理の手順の一例を示すフローチャートである。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
図１及び図２に示されるように、本発明の実施形態に係る画像形成装置１０は、操作表示部１、ＡＤＦ２、画像読取部３、画像形成部４、記憶部５、通信Ｉ／Ｆ６、及び制御部７などを備える。具体的に、画像形成装置１０は、プリンター機能、スキャナー機能、コピー機能、及びファクシミリ機能などを有する複合機である。なお、画像形成装置１０は、複合機に限らず、少なくともファクシミリ機能を有するファクシミリ装置であってもよい。
【００１２】
操作表示部１は、情報を表示する液晶ディスプレーなどの表示部と、ユーザー操作を受け付けるタッチパネル及び操作ボタンなどの操作部とを備える。ＡＤＦ２は、原稿セット部、搬送ローラー、原稿押さえ、及び排紙部を備え、画像読取部３の読み取り対象となる原稿を搬送する自動原稿搬送装置である。
【００１３】
画像読取部３は、原稿台、光源、ミラー、光学レンズ、及びＣＣＤ（Ｃｈａｒｇｅ  Ｃｏｕｐｌｅｄ  Ｄｅｖｉｃｅ）を備え、前記原稿台に載置された原稿又はＡＤＦ２で搬送される原稿から画像を読み取って画像データとして出力することが可能である。
【００１４】
画像形成部４は、電子写真方式又はインクジェット方式で画像データに基づく印刷処理を実行することが可能である。例えば、画像形成部４が電子写真方式の画像形成部である場合、画像形成部４は、感光体ドラム、帯電器、露光装置、現像装置、転写装置、及び定着装置などを備える。
【００１５】
記憶部５は、ハードディスク又はＥＥＰＲＯＭ（登録商標）などの不揮発性の記憶部である。記憶部５には、制御部７によって実行される各種の制御プログラム及び前記画像データなどが記憶される。
【００１６】
通信Ｉ／Ｆ６は、公衆交換通信網又はインターネットなどの通信網６０を介して、外部のファクシミリ装置などの外部端末２０との間で所定の通信プロトコルに従って通信処理を実行することが可能な通信インターフェイスである。例えば、通信Ｉ／Ｆ６は、通信網６０を介して送信する画像データを変調し、又は通信網６０を介して受信する画像データを復調するモデムなどを有する。
【００１７】
制御部７は、ＣＰＵ、ＲＯＭ、及びＲＡＭなどの制御機器を備え、画像形成装置１０の各構成要素を制御する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１８】
そして、制御部７は、前記ＲＯＭ又は記憶部５に記憶されている前記制御プログラムを前記ＣＰＵによって実行する。例えば、制御部７は、前記制御プログラムに従って、通信網６０を介して前記画像データを送信するファクシミリ送信処理を実行する。また、制御部７は、前記制御プログラムに従って後述の通信制御処理を実行する。
【００１９】
ところで、前記ファクシミリ通信処理において送受信される信号のうち、ＣＳＩ信号又はＴＳＩ信号のようなＩＤ情報信号については、ファクシミリ通信処理において必須の情報でない場合があり、ＩＤ情報信号の再取得が不要な処理となることがある。例えば、ＩＤ情報信号は、予め許可されたＩＤ情報信号である場合に通信を継続し、その他のＩＤ情報信号である場合に通信を遮断する認証機能が有効に設定されている場合に用いられる。これに対し、前記認証機能が有効に設定されていない場合は、ＩＤ情報信号が不要であることも考えられる。これに対し、画像形成装置１０では、制御部７によって後述の通信制御処理が実行されることにより、ファクシミリ通信処理における不必要な情報の再取得処理を省略することが可能である。
【００２０】
具体的に、制御部７は、通信処理部７１、認証処理部７２、転送処理部７３、履歴処理部７４、要否判定処理部７５、及び継続制御処理部７６を含む。なお、制御部７は、前記ＣＰＵによって前記制御プログラムに従って各種の処理を実行することにより各処理部として機能する。また、制御部７によって実現される各処理部の一部又は全部が電子回路で構成されていてもよい。
【００２１】
通信処理部７１は、通信Ｉ／Ｆ６を制御し、通信網６０を介して通信先である外部端末２０との間で、ＩＴＵ−Ｔ．３０などの予め定められた通信プロトコルに従って画像データを送受信するファクシミリ通信処理（通信ステップ）を実行する。具体的に、通信処理部７１は、前記ファクシミリ通信処理としてファクシミリ送信処理及びファクシミリ受信処理を実行する。前記ファクシミリ通信処理において、通信処理部７１は、操作表示部１に対して宛先の電話番号が入力されてファクシミリ送信の開始要求操作が行われた場合に、通信Ｉ／Ｆ６に対して前記ファクシミリ送信の開始要求を送信して前記画像データを送信する。また、前記ファクシミリ受信処理において、通信処理部７１は、通信網６０からの着呼がモデム６５で検出された場合に、自動的にモデム６５にファクシミリ受信の開始要求を送信して通信網６０を介して前記画像データを受信する。
【００２２】
ここで、図３及び図４を参照しつつ、前記ファクシミリ送信処理及び前記ファクシミリ受信処理の手順の一例について説明する。なお、図３及び図４における前記ファクシミリ送信処理及び前記ファクシミリ受信処理は、画像形成装置１０及び外部端末２０との間における発呼及び着呼の処理が実行されて通信経路が確立した後から開始している。
【００２３】
前記ファクシミリ送信処理及び前記ファクシミリ受信処理では、画像形成装置１０及び外部端末２０との間でＣＳＩ信号、ＴＳＩ信号、ＤＩＳ信号、ＤＣＳ信号、ＴＣＦ信号、ＣＦＲ信号、ＰＰＳ−ＥＯＰ信号、ＭＣＦ信号、ＤＣＮ信号などが送受信される。ＣＳＩ（Ｃａｌｌｅｄ  Ｓｕｂｓｃｒｉｂｅｒ  Ｉｄｅｎｔｉｆｉｃａｔｉｏｎ）信号及びＴＳＩ(Ｔｒａｎｓｍｉｔｔｉｎｇ  ｓｕｂｓｃｒｉｂｅｒ  ｉｄｅｎｔｉｆｉｃａｔｉｏｎ)信号は、自機の電話番号又は任意に設定される識別情報などのＩＤ情報を示す信号である。ＤＩＳ（Ｄｉｇｉｔａｌ  Ｉｄｅｎｎｔｉｆｉｃａｔｉｏｎ  Ｓｉｇｎａｌ）信号及びＤＣＳ（Ｄｉｇｉｔａｌ  Ｃｏｍｍａｎｄ  Ｓｉｇｎａｌ）信号は自機の通信速度などの能力を示す信号である。
【００２４】
また、ＴＣＦ（Ｔｒａｉｎｉｎｇ  ｃｈｅｃｋ  ｆｒａｍｅ）信号は、ＤＩＳ信号及びＤＣＳ信号などに基づいて設定される通信条件における通信の可否のテストとして送信される信号である。ＣＦＲ（Ｃｏｎｆｉｒｍａｔｉｏｎ  ｔｏ  ｒｅｃｅｉｖｅ）信号は、ＴＣＦ信号が受信可能である場合に送信される信号である。ＰＰＳ−ＥＯＰ（Ｐａｒｔｉａｌ  ＰａｇｅＳｉｇｎａｌ−Ｅｎｄ  ｏｆ  Ｐａｇｅ）信号は、送信終了を示す信号であり、ＭＣＦ（Ｍｅｓｓａｇｅ  Ｃｏｎｆｉｒｍａｔｉｏｎ）信号は、前記画像データを正常に受信したことを示す信号である。ＤＣＮ（Ｄｉｓｃｏｎｎｅｃｔ）信号は、回線切断を要求する信号である。
【００２５】
図３に示されるように、前記ファクシミリ送信処理において、通信処理部７１は、ＣＳＩ信号及びＤＩＳ信号を外部端末２０に送信し、外部端末２０からのＴＳＩ信号、ＤＣＳ信号、ＴＣＦ信号の受信を待ち受ける。そして、通信処理部７１は、外部端末２０からＴＳＩ信号、ＤＣＳ信号、ＴＣＦ信号を受信すると、ＣＦＲ信号を外部端末２０に送信した後、前記画像データの送信を開始する。その後、通信処理部７１は、前記画像データの送信が終了すると、ＰＰＳ−ＥＯＰ信号を外部端末２０に送信し、外部端末２０からのＭＣＦ信号の受信を待ち受ける。そして、通信処理部７１は、外部端末２０からＭＣＦ信号を受信するとＤＣＮ信号を外部端末２０に送信し、通信網６０の通信を遮断して当該ファクシミリ送信処理を終了する。
【００２６】
一方、図４に示されるように、前記ファクシミリ受信処理において、通信処理部７１は、ＣＳＩ信号及びＤＩＳ信号の受信を待ち受ける。そして、通信処理部７１は、外部端末２０からＣＳＩ信号及びＤＩＳ信号を受信すると、外部端末２０にＴＳＩ信号、ＤＣＳ信号、ＴＣＦ信号を送信する。そして、通信処理部７１は、外部端末２０からのＣＦＲ信号を受信し、その後に前記画像データの受信を開始する。その後、通信処理部７１は、外部端末２０からのＰＰＳ−ＥＯＰ信号の受信を待ち受けており、外部端末２０からＰＰＳ−ＥＯＰ信号を受信すると、外部端末２０にＭＣＦ信号を送信し、外部端末２０からのＤＣＮ信号の受信を待ち受ける。そして、通信処理部７１は、外部端末２０からＤＣＮ信号を受信すると、通信網６０の通信を遮断して当該ファクシミリ受信処理を終了する。
【００２７】
認証処理部７２は、通信処理部７１で実行される前記ファクシミリ送信処理及び前記ファクシミリ受信処理において、外部端末２０を認証して予め通信が許可された外部端末であるか否かを判定する認証機能を実現する。この認証処理部７２による認証機能の有効及び無効は、画像形成装置１０における初期設定又はシステム設定などにおいてユーザー操作に応じて制御部７によって設定される。
【００２８】
例えば、認証処理部７２は、ユーザー操作に応じて通信を許可する許可ＩＤを登録することが可能である。そして、認証処理部７２は、外部端末２０から送信されるＣＳＩ信号又はＴＳＩ信号で示されるＩＤ情報が前記許可ＩＤである場合に、通信処理部７１による前記ファクシミリ送信処理又は前記ファクシミリ受信処理を継続させる。一方、通信処理部７１は、外部端末２０から送信されるＣＳＩ信号又はＴＳＩ信号で示されるＩＤ情報が前記許可ＩＤでない場合は、通信処理部７１による前記ファクシミリ送信処理又は前記ファクシミリ受信処理を中止させる。
【００２９】
なお、認証処理部７２は、ユーザー操作に応じて通信を禁止する禁止ＩＤを登録することが可能であることも考えられる。この場合、認証処理部７２は、外部端末２０から送信されるＣＳＩ信号又はＴＳＩ信号で示されるＩＤ情報が前記禁止ＩＤである場合に、通信処理部７１による前記ファクシミリ送信処理又は前記ファクシミリ受信処理を中止させる。一方、認証処理部７２は、外部端末２０から送信されるＣＳＩ信号又はＴＳＩ信号で示されるＩＤ情報が前記禁止ＩＤでない場合には、通信処理部７１による前記ファクシミリ送信処理又は前記ファクシミリ受信処理を継続させる。
【００３０】
転送処理部７３は、予め転送対象として設定されたＩＤ情報に対応する外部端末２０との間で前記ファクシミリ受信処理が実行される場合に、前記ファクシミリ受信処理で受信される前記画像データを予め設定された転送先に転送する転送機能を実現する。なお、前記画像データの転送先は、予め設定された他の画像形成装置、記憶装置、サーバーなどである。この転送処理部７３による転送機能の有効、無効、及び転送先は、画像形成装置１０における初期設定又はシステム設定などにおいてユーザー操作に応じて制御部７によって設定される。
【００３１】
履歴処理部７４は、前記ファクシミリ送信処理及び前記ファクシミリ受信処理の履歴情報を記憶部５に記憶させる履歴管理機能を実現する。ここで、前記履歴情報には、外部端末２０のＩＤ情報が必須の情報として設定されているとする。この履歴処理部７４による履歴管理機能の有効及び無効は、画像形成装置１０における初期設定又はシステム設定などにおいてユーザー操作に応じて制御部７によって設定される。
【００３２】
要否判定処理部７５は、前記ファクシミリ通信処理において予め定められた特定信号が正常に受信されない場合に、前記ファクシミリ通信処理における前記特定信号の要否を予め設定された判定条件に従って判定する。本実施形態において、前記特定信号は、ＣＳＩ信号又はＴＳＩ信号のようなＩＤ情報信号である。
【００３３】
また、前記判定条件には、例えば予め設定された第１判定条件〜第３判定条件の一又は複数が含まれる。前記第１判定条件は、前記認証機能が有効に設定されていることである。また、前記第２判定条件は、前記転送機能が有効に設定されていることである。前記第３判定条件は、前記前記履歴管理機能が有効に設定されていることである。
【００３４】
継続制御処理部７６は、要否判定処理部７５によってＩＤ情報信号が不要であると判定された場合は前記ファクシミリ通信処理を継続させる。また、継続制御処理部７６は、要否判定処理部７５によってＩＤ情報信号が必要であると判定された場合には少なくともＩＤ情報信号の再送信を通信先に要求する。
【００３５】
［通信制御処理の一例］
以下、図５を参照しつつ、画像形成装置１０において、制御部７によって実行される通信制御処理の手順の一例について説明する。ここで、ステップＳ１、Ｓ２・・・は、制御部７により実行される処理手順（ステップ）の番号を表している。なお、当該通信制御処理は、前記ファクシミリ送信処理において外部端末２０から信号を受信したとき、又は前記ファクシミリ受信処理において外部端末２０から信号を受信したときに実行される。
【００３６】
＜ステップＳ１＞
ステップＳ１において、制御部７は、外部端末２０からの受信信号がＣＳＩ信号又はＴＳＩ信号のようなＩＤ情報信号であるか否かを判断する。例えば、制御部７は、外部端末２０からの受信信号のヘッダー情報にＩＤ情報信号である旨を示す情報が含まれる場合にＩＤ情報信号が受信されたと判断する。ここで、受信信号がＩＤ情報信号であると判断された場合は（Ｓ１：Ｙｅｓ）、処理がステップＳ２に移行し、受信信号がＩＤ情報信号ではないと判断された場合は（Ｓ１：Ｎｏ）、処理がステップＳ１で待機する。
【００３７】
＜ステップＳ２＞
ステップＳ２において、制御部７は、ＩＤ情報信号が正常に受信されたか否かを判断する。例えば、制御部７は、外部端末２０から受信した受信信号に含まれる誤り検出用のパリティビットの情報に基づいてＩＤ情報信号が正常に受信されたか否かを判断することが考えられる。ここで、ＩＤ情報信号が正常に受信されたと判断された場合は（Ｓ２：Ｙｅｓ）、処理がステップＳ７に移行し、ＩＤ情報信号が正常に受信されなかったと判断された場合は（Ｓ２：Ｎｏ）、処理がステップＳ３に移行する。
【００３８】
なお、制御部７は、前記ステップＳ１において、ＤＩＳ信号又はＤＣＳ信号のような能力情報信号の受信前に信号を受信した場合にＩＤ情報信号を受信したと判断することも考えられる。また、ＩＤ情報信号が必須の信号として送受信されるシステムでは、ステップＳ１〜Ｓ２に代えて、制御部７が、前記能力情報信号の受信前にＩＤ情報信号を受信しなかった場合に、ＩＤ情報信号が正常に受信されなかったと判断してもよい。
【００３９】
＜ステップＳ３＞
ステップＳ３において、制御部７は、前記認証機能が有効に設定されているか否かを判断する。ここで、前記認証機能が有効に設定されていると判断すると（Ｓ３：Ｙｅｓ）、処理がステップＳ３１に移行する。一方、前記認証機能が無効に設定されていると判断すると（Ｓ３：Ｎｏ）、処理がステップＳ４に移行する。
【００４０】
＜ステップＳ３１＞
制御部７は、ステップＳ３１において、前記ファクシミリ通信処理において既に前記能力情報信号を正常に受信している場合には、前記能力情報信号を一時的に記憶部５などに記憶することが考えられる。そして、制御部７は、前記ＩＤ情報信号の再送によって前記ＩＤ情報信号を正常に受信した場合に、前記ＩＤ情報信号と前記記憶部５に記憶されている前記能力情報信号とに基づいて前記ファクシミリ通信処理を継続することが考えられる。
【００４１】
＜ステップＳ３２＞
ステップＳ３２において、制御部７は、前記ＩＤ情報信号の再送信を要求する信号を外部端末２０に送信し、処理を前記ステップＳ１に戻す。なお、ステップＳ３４において、制御部７は、少なくとも前記ＩＤ情報信号の再送信を要求すればよいが、前記ＩＤ情報信号及び前記能力情報信号の両方の再送信を要求してもよい。ここに、ステップＳ７は、再送制御ステップの一例であり、制御部７の継続制御処理部７５によって実行される。なお、前記ＩＤ情報信号の再送信が予め設定された上限回数実行されても前記ＩＤ情報信号が正常に受信されない場合には、予め設定されたエラー報知が実行され、当該通信制御処理が終了する。
【００４２】
＜ステップＳ４＞
ステップＳ４において、制御部７は、前記履歴管理機能が有効に設定されているか否かを判断する。ここで、前記履歴管理機能が有効に設定されていると判断すると（Ｓ４：Ｙｅｓ）、処理がステップＳ３１に移行する。一方、前記履歴管理機能が無効に設定されていると判断すると（Ｓ４：Ｎｏ）、処理がステップＳ５に移行する。
【００４３】
＜ステップＳ５＞
ステップＳ５において、制御部７は、実行される前記ファクシミリ通信処理の種別が前記ファクシミリ受信処理であるか否かを判断する。例えば、制御部７は、外部端末２０から受信した前記ＩＤ情報信号がＣＳＩ信号である場合は、前記ファクシミリ受信処理であると判断し、前記ＩＤ情報信号がＴＳＩ信号である場合は、前記ファクシミリ送信処理であると判断する。ここで、実行される前記ファクシミリ通信処理の種別が前記ファクシミリ受信処理であると判断すると（Ｓ５：Ｙｅｓ）、処理がステップＳ６に移行する。一方、実行される前記ファクシミリ通信処理の種別が前記ファクシミリ受信処理ではないと判断すると（Ｓ６：Ｎｏ）、処理がステップＳ７に移行する。
【００４４】
＜ステップＳ６＞
ステップＳ６において、制御部７は、前記転送機能が有効に設定されているか否かを判断する。ここで、前記転送機能が有効に設定されていると判断すると（Ｓ６：Ｙｅｓ）、処理がステップＳ３１に移行する。一方、前記転送機能が無効に設定されていると判断すると（Ｓ４：Ｎｏ）、処理がステップＳ７に移行する。
【００４５】
即ち、前記通信制御処理において、制御部７は、前記ステップＳ３〜Ｓ６において、前記ファクシミリ通信処理における前記ＩＤ情報信号の要否を予め設定された判定条件に従って判定している。なお、ステップＳ３〜Ｓ６は、要否判定ステップの一例であり、制御部７の要否判定処理部７５によって実行される。
【００４６】
＜ステップＳ７＞
ステップＳ７において、制御部７は、前記ＩＤ情報信号の再送信を要求することなく、前記ファクシミリ通信処理を継続して実行する。ここに、ステップＳ７は、再送制御ステップの一例であり、制御部７の継続制御処理部７５によって実行される。即ち、前記ＩＤ情報信号が正常に受信されなかった場合であっても、前記ＩＤ情報信号の再送信が要求されることなく、前記ファクシミリ送信処理又は前記ファクシミリ受信処理が実行される。例えば、前記ファクシミリ送信処理では、制御部７が、前記能力情報信号の受信に応じてＣＦＲ信号を送信する。また、前記ファクシミリ受信処理では、制御部７が、前記能力情報信号の受信に応じてＴＳＩ信号、ＤＣＳ信号、ＴＣＦ信号を送信する。
【００４７】
以上説明したように、画像形成装置１０では、前記ＩＤ情報信号が正常に受信されてない場合であっても、前記ＩＤ情報信号が不要であるか否かが判定される。そして、前記ＩＤ情報信号が不要である場合には、前記ＩＤ情報信号の再送が要求されることなく前記ファクシミリ通信処理が継続して実行される。従って、画像形成装置１０では、前記ＩＤ情報信号の要否にかかわらず前記ＩＤ情報信号の再送が要求される場合に比べて、通信エラーの発生頻度が抑制されると共に、前記ＩＤ情報信号が不要な場合における不必要な通信時間が短縮される。
【符号の説明】
【００４８】
１    操作表示部
２    ＡＤＦ
３    画像読取部
４    画像形成部
５    記憶部
６    通信Ｉ／Ｆ
７    制御部
７１  通信処理部
７２  認証処理部
７３  転送処理部
７４  履歴処理部
７５  要否判定処理部
７６  継続制御処理部
１０  画像形成装置
【図１】
0006380313.tif 000002
【図２】
0006380313.tif 000003
【図３】
0006380313.tif 000004
【図４】
0006380313.tif 000005
【図５】
0006380313.tif 000006